(57)【要約】      （修正有）【課題】インスタントコーヒーの作成過程に於いて容易にカプチーノの様な泡コーヒーを作成可能として、自宅等に於いてカフェ気分で泡コーヒーを味わうことを可能にする泡生成用具を提供する。【解決手段】泡立て器３０をマグカップ１０内に入れた上で、インスタントコーヒーの粉を入れる。泡立て器３０の掴み部３０Ｄは、マグカップ１０の上縁部１０ＵＥに当接し且つマグカップの把手１０Ｈの上面と平行な状態にある。コーヒーの液体が泡立て器３０に表示された目盛位置に達するまで湯を注ぐ。蓋２０の切り込み部２０ＣＰ内に泡立て器３０の上部を嵌め込んで蓋２０をマグカップ１０の開口部に配設する。切り込み部２０ＣＰの奥面に沿って泡立て器３０を持ち上げると、泡立て器３０の柱部の上端は凸状部２０ＣＰＰに係止される。泡立て器３０の上下移動を３０回行うことでコーヒー液面に泡が生成される。泡立て器３０をマグカップ１０内に入れたままで全ての泡を味わえる。【選択図】図５
0003193140.tif 000002
【実用新案登録請求の範囲】
【請求項１】
マグカップと、
前記マグカップの開口部を被覆可能な寸法を有し且つ外縁部の一部より中央部に向けて延在する切り込み部を有する前記マグカップ用の蓋と、
前記マグカップの前記開口部より内部に嵌り込む径寸法を有する外枠部、前記外枠部の枠内に張られた網部、前記外枠部の一部より上方に延在する柱部、及び、前記柱部の上部より外側に折れ曲がって延在する掴み部を有する泡立て器と
を備えており、
前記泡立て器の前記外枠部の底面が前記マグカップの底部にあり、且つ、前記泡立て器の前記柱部の前記上部と前記掴み部との結合部分が前記蓋の前記切り込み部に嵌め込まれており、しかも、前記蓋が前記マグカップの前記開口部を被覆している場合に於いて、
前記泡立て器の前記掴み部の底面が前記マグカップの上縁部に当接している状態を最低位置として、前記掴み部の上下方向の移動に応じて、前記泡立て器の前記柱部は、前記蓋の前記切り込み部の壁面の内で側面間に位置する奥面に沿いつつ上下に移動される
ことを特徴とする、泡生成用具。
【請求項２】
請求項１に記載の泡生成用具であって、
前記泡立て器の前記柱部の前記網部に面した表面の下部には、泡だて前に前記マグカップの中に入れるべき液体の量を規定する目盛が表示されており、
前記柱部の前記表面には前記柱部と前記外枠部の前記一部との結合部から前記柱部と並行して上方へ延在する凸状半棒状部が設けられており、
前記蓋の前記切り込み部の前記奥面には突出した凸状部が設けられており、
前記掴み部の上方向への移動に応じて上昇する前記柱部の前記凸状半棒状部の上端部は前記蓋の前記切り込み部の前記奥面の前記凸状部に接触して、その上昇移動が止められる
ことを特徴とする、泡生成用具。
【請求項３】
請求項１又は２に記載の泡生成用具であって、
前記泡立て器の前記掴み部の前記底面が前記マグカップの前記上縁部に当接している状態に於いては、
前記掴み部の前記底面は前記マグカップの把手の上面部の表面に対して略平行な状態にある
ことを特徴とする、泡生成用具。
【請求項４】
請求項１乃至３の何れか一つに記載の前記泡生成用具が有する前記泡立て器
を備えることを特徴とする、泡生成用具用部品。
【考案の詳細な説明】
【技術分野】
【０００１】
本考案は、例えばインスタントコーヒー等の飲用液体の液面に対して泡を形成する泡立て技術に関する。
【背景技術】
【０００２】
カフェでコーヒーを飲む様な気分で、その液面に、いっぱいの泡が加えられたコーヒーを自宅で飲みたいと思う場合がある。その場合には、カプチーノの様に、別途に、牛乳を泡立てて泡を生成する必要がある。
【先行技術文献】
【特許文献】
【０００３】
【特許文献１】特開２０１３−０９４２７０号公報
【考案の概要】
【考案が解決しようとする課題】
【０００４】
カプチーノを自宅で作ってカフェ気分でコーヒーを味わうには、市場で販売されているミルクフォーマーの様な泡立て器が別途に必要となり、お手軽にカプチーノを作って楽しむことに難がある。
【０００５】
特に、インスタントコーヒーを用いてカプチーノの様な泡コーヒーを作りたい場合には、より一層に手軽に当該泡コーヒーを作りたいものである。
【０００６】
しかし、インスタントコーヒーの作成過程に於いて、その様な泡コーヒーを安価で手軽に作るための用具は、実現されてはいない。
【０００７】
この点は、コーヒー豆からコーヒーを作って同様に泡コーヒーを安価で手軽に作る場合に於いても生じ得る問題点であり、その他のレシピ作成に於いてもいえる問題点である。
【０００８】
この考案は上記の課題認識を踏まえて成されたものであって、その主目的は、インスタントコーヒー等のコーヒーの作成過程に於いて、カプチーノの様な、液面にいっぱいの泡が浮かんでなる「泡コーヒー」を容易に且つ手軽に生成して当該泡コーヒーをカフェに於いて味わう様な気分で飲むことを可能にする泡生成用具を提供することにある。更に、本考案の副次的目的は、上記主目的と同様に、液面いっぱいに盛り上がり広がった泡が生成された、その他の飲用液体（例えばココアが挙げられる。）を、その作成工程に於いて、容易に且つ手軽に生成可能な泡生成用具を提供することにある。
【課題を解決するための手段】
【０００９】
本考案の主題に係る泡生成用具は、マグカップと、前記マグカップの開口部を被覆可能な寸法を有し且つ外縁部の一部より中央部に向けて延在する切り込み部を有する前記マグカップ用の蓋と、前記マグカップの前記開口部より内部に嵌り込む径寸法を有する外枠部、前記外枠部の枠内に張られた網部、前記外枠部の一部より上方に延在する柱部、及び、前記柱部の上部より外側に折れ曲がって延在する掴み部を有する泡だて器とを備えており、前記泡だて器の前記外枠部の底面が前記マグカップの底部にあり、且つ、前記泡だて器の前記柱部の前記上部と前記掴み部との結合部分が前記蓋の前記切り込み部に嵌め込まれており、しかも、前記蓋が前記マグカップの前記開口部を被覆している場合に於いて、前記泡だて器の前記掴み部の底面が前記マグカップの上縁部に当接している状態を最低位置として、前記掴み部の上下方向の移動に応じて、前記泡だて器の前記柱部は、前記蓋の前記切り込み部の壁面の内で側面間に位置する奥面に沿いつつ上下に移動されることを特徴とする。
【考案の効果】
【００１０】
本考案の主題に係る泡生成用具によれば、作業者が泡立て器の掴み部を上下方向に動かすことで、その掴み部の移動に応じて、泡立て器の柱部が蓋の切り込み部の奥の壁面に沿いつつ上下に移動することとなる。その結果、マグカップ中に入れられた飲用液体は、泡立て器の網部で掻き混ぜられることとなって空気が当該飲用液体中に取り込まれて、いっぱいの泡が当該飲用液体の表面上に作成される。その際に、マグカップの開口部は蓋で被覆されているので、泡立て時の飲用液体のマグカップからの飛び跳ねが確実に防止され、周囲の場所が飲用液体で汚れることはない。しかも、当該蓋は泡が生成された飲用液体の保温・保冷効果をも奏する。
【００１１】
この点を、泡が液面いっぱいに形成された「泡コーヒー」の作成に関して言及するならば、本考案の主題により、作業者は、インスタントコーヒー等のコーヒーの作成過程に於いて、簡単かつ確実に、コーヒーの表面にいっぱいの泡を生成することが出来、手軽にカフェ気分で泡コーヒーのマイルドな口当たりを自宅等の場所で味わい、楽しむことが出来る。
【００１２】
以下、本考案の様々な具体化を、添付図面を基に、その効果・利点と共に、詳述する。
【図面の簡単な説明】
【００１３】
【図１】マグカップの構成を模式的に示す斜視図である。
【図２】本考案の実施の形態１に係るマグカップ用蓋の表面側の構成を示す斜視図である。
【図３】図２のマグカップ用蓋の裏面側の構成を示す背面図である。
【図４】本考案の実施の形態１に係る泡立て器の構成を模式的に示す斜視図である。
【図５】泡立て作業を行う直前の本考案の実施の形態１に係る泡コーヒー生成用具の構成を模式的に示す斜視図である。
【図６】本考案の実施の形態１に係る泡コーヒー生成用具を用いた泡立て作業に於ける泡立て器の状態を模式的に示す図である。
【図７】本考案の実施の形態１に係る泡コーヒー生成用具を用いた泡立て作業に於ける泡立て器の状態を模式的に示す図である。
【図８】本考案の実施の形態１に係る泡コーヒー生成用具を用いた泡立て作業が完了した段階のマグカップ内の状態を模式的に示す斜視図である。
【考案を実施するための形態】
【００１４】
（実施の形態１）
＜泡コーヒー生成用具の構成＞
１．  マグカップ
図１は、本実施の形態に係る泡コーヒー生成用具の構成要素（部品）に該当するマグカップ１０の全体構成を模式的に示す斜視図である。マグカップ１０は例えば磁器より成る。
【００１５】
図１に示す様に、マグカップ１０は、手で把持する部分である把手１０Ｈを有している。後述する通り、泡立て作業の完了後に、マグカップ１０内に泡立て器を入れたままで泡立てられたコーヒーを飲む場合には、把手１０Ｈの上面部１０ＨＵの表面１０ＨＵＳは、当該泡立て器の掴み部の底面と略平行な状態にある。また、マグカップ１０の上縁部１０ＵＥ（所定の幅を有する。）の内面は、直径１０Ｄの円形状孔である開口部１０ＯＰを形成しており、開口部１０ＯＰの中心点１０ＣＰより直下のマグカップ１０内部の底部は底面１０ＢＳを成す。
【００１６】
２．  マグカップ用の蓋
図２及び図３は、それぞれ、本実施の形態に係るマグカップ用蓋（以下「蓋」という。）２０の表面２０Ｓ側の構成を示す斜視図及び蓋２０の裏面２０ＲＳ側の構成を示す背面図である。蓋２０の素材としては合成樹脂が用いられるが、本実施の形態では、一例として、ＡＢＳ樹脂が採用されている。蓋２０の表面２０Ｓ側及び裏面２０ＲＳ側の形状は、以下の通りである。
【００１７】
即ち、図２の蓋２０の表面２０Ｓに於いて便宜上ハッチング表示されている浅い窪み２０ＳＲの裏面側直下には、図３に示される様に、蓋２０の裏面２０ＲＳの外縁寄り側に設けられている中空の円柱状の突出部（横断面は円枠形状であり、所定の幅を有する。）２０ＲＰが存在している。また、蓋２０の表面２０Ｓは、平面視及び背面視に於ける中心点２０Ｃに向けて、窪み２０ＳＲから破線で示される境界部２０ＢＬまで、緩やかなスロープで盛り上がった傾斜面２０ＳＤを有しており、境界部２０ＢＬから中心点２０Ｃまでは平坦面２０ＳＦを有している。上記の様な表面２０Ｓの形状に対応して、蓋２０の裏面２０ＲＳは、突出部２０ＲＰの内側から境界部２０ＢＬまで緩やかなスロープで窪んだ傾斜面２０ＲＳ及び境界部２０ＢＬから中心点２０Ｃまで広がった平坦面２０ＲＦを有している。そして、平面視に於ける表面２０Ｓの外縁の直径２０Ｄ乃至は背面視に於ける裏面２０ＲＳの外縁の直径２０Ｄは、図１のマグカップ１０の上縁部１０ＵＥの外縁（外面）側の直径１０ＯＤよりも大きい（２０Ｄ＞１０ＯＤ）。従って、蓋２０をマグカップ１０の開口部１０ＯＰの上に配設した場合には、蓋２０はマグカップ１０の上縁部１０ＵＥを全体的に亘って覆うことになる。しかも、背面視に於ける、蓋２０の裏面２０ＲＳ側の突出部２０ＲＰの外縁側の直径２０ＩＤは、マグカップ１０の開口部１０ＯＰの直径１０Ｄよりも僅かに小さい。従って、蓋２０をマグカップ１０の開口部１０ＯＰの上に配設した場合には、蓋２０の突出部２０ＲＰは、全体的に、マグカップ１０の開口部１０ＯＰより内面に沿って内部に嵌り込み、突出部２０ＲＰの外面とマグカップ１０の内部の内面との間に、蓋２０をずらせる程度の僅かな隙間又は遊びが生じる。
【００１８】
蓋２０の特徴的な構成部分は、次の点にある。即ち、蓋２０は、表面２０Ｓ及び裏面２０ＲＳの外縁部２０Ｅの一部２０ＥＰより中央部乃至は中心点２０Ｃに向けて、所定の長さＬだけ延在する切り込み部２０ＣＰを有する。加えて、蓋２０の切り込み部２０ＣＰの壁面の内で両側面２０ＣＰＳ１，２０ＣＰＳ２間に位置する奥面には、切り込み部２０ＣＰの内部に向けて緩やかな膨らみで突出した凸状部乃至は突出部２０ＣＰＰが設けられている。この凸状部２０ＣＰＰの存在意義は、後述する通り、泡立て器３０（図４）の柱部が切り込み部２０ＣＰの上記奥面に沿いつつ切り込み部２０ＣＰ内を上下に移動する際に、その上昇移動の距離を一定の範囲内に規律する点にある。その規律は、後述の通り、柱部の凸状半棒状部の上端部が、蓋２０の切り込み部２０ＣＰの奥面の凸状部２０ＣＰＰに機械的に接触して、その上昇移動が止められることにより達成される。
【００１９】
３．  泡立て器
図４は、本実施の形態に係る泡立て器３０の構成を模式的に示す斜視図である。泡立て器３０は、マグカップ１０の内部に挿入されて、マグカップ内の所定量のインスタントコーヒーの液体を泡立てる作業に於ける主たる道具を成す「泡コーヒー生成用具用部品」である。
【００２０】
図４に示される様に、泡立て器３０は、大要、１）外枠部３０Ａ、２）網部３０Ｂ、３）柱部３０Ｃ、及び、４）掴み部３０Ｄの各部より構成される。網部３０Ｂを除いた泡立て器３０の各部は、例えばＡＢＳ樹脂より成る樹脂で形成されている。
【００２１】
先ず、外枠部３０Ａの外縁を成す外縁部３０Ａ１は、円枠形状の横断面を有しており、その平面視に於ける外面側の直径３０Ｄ（後述する図６を参照。）は、マグカップ１０の開口部１０ＯＰの直径乃至は口径１０Ｄよりも若干小さい値を有している。即ち、外枠部３０Ａの外縁部３０Ａ１は、マグカップ１０の開口部１０ＯＰより、マグカップ内部の底部の底面１０ＢＳにまで嵌り込む径寸法を有している。更に、外枠部３０Ａには、外縁部３０Ａ１を挟み込む上部分３０Ａ２及び下部分３０Ａ３（図６を参照。）が設けられている。これらの両部分３０Ａ２，３０Ａ３も、平面視に於いて円枠形状と成る横断面を有しており、上部分３０Ａ２及び下部分３０Ａ３の外面側の直径は、何れも外縁部３０Ａ１の外面側の直径３０Ｄよりも小さい。
【００２２】
そして、多数の細かい網目より成す網部（例：ストレーナー用の網部）３０Ｂが、外枠部３０Ａの上部分３０Ａ２及び下部分３０Ａ３の枠内に張られている（図６のハッチング部分を参照。）。ここで、網部３０Ｂを成す網目の素材には、一例として、比較的に強度のある金属メッシュとして、ステンレスメッシュが採用されている。尚、本実施の形態に於いては、一例として、網部３０Ｂの張り具合を補強する部分として、外枠部３０Ａの上部分３０Ａ２及び下部分３０Ａ３に結合された３つの補強部分３０ＡＳが設けられており、各補強部分３０ＡＳと上部分３０Ａ２及び下部分３０Ａ３との間の枠内に、３個の部分として網部３０Ｂが設けられている。
【００２３】
次に、柱部３０Ｃは、外枠部３０Ａの一部（外縁部３０Ａ１の一部及びその上の上部分３０Ａ２の一部）３０ＡＰより上方に向けて延在しており（直上）、その上方部分３０ＣＵＰは僅かに外側へ向けて傾斜して延在している。又、網部３０Ｂ側に面した柱部３０Ｃの表面３０ＣＳの中央部には、緩やかに湾曲して成る窪み部３０ＣＲが、外枠部３０Ａの一部３０ＡＰより上方部分３０ＣＵＰの終端部分まで延在して設けられている。そして、窪み部３０ＣＲの中央部に、所定の高さＨを有する凸状半棒状部３０ＰＬが設けられている。この凸状半棒状部３０ＰＬは、柱部３０Ｃと外枠部３０Ａの上記一部３０ＡＰとの結合部から柱部３０Ｃと並行して上方へ直上して延在する。ここで、所定の高さＨは、以下の観点から定められる。又、柱部３０Ｃの表面３０ＣＳの下部には、ライン状の目盛３０ＣＭが設けられている。この目盛３０ＣＭの表示は、泡だて前にマグカップ１０の中に入れるべき液体状のインスタントコーヒーの量を規定するが、本発明者らは、実験等を通じて、目盛３０ＣＭの適切な表示位置を見出した。即ち、液体状のインスタントコーヒーから、液面全体に広がる豊富な泡を効率良く形成するためには、泡立ての対象となるインスタントコーヒーの液体の濃度が高い程に良い。その場合には、泡立ての作業によって液体内に取り込まれる多くの空気が泡と化して、コーヒーの液面上に生成される。斯かる観点から、小さじのスプーンで２〜３杯のインスタントコーヒーの粉をマグカップ１０内に入れ、更にお湯を加えてインスタントコーヒーの粉を溶かして約５０ｃｃの量のインスタントコーヒーの液体を準備して、当該インスタントコーヒーの液体に対して後述の泡立て作業を行う場合に、短時間で効率良く液面全体に浮かぶ豊富な泡を形成することが出来ることを見出した。勿論、本願考案では、泡立ての対象となるインスタントコーヒーの液体の量が、この目盛３０ＣＭが示す量に限定されるものではない。目盛３０ＣＭにより規定される斯かる量のインスタントコーヒーの液体に対して後述の泡立て作業を行う場合に、当該量のインスタントコーヒーの液体の液面を超えて柱部３０Ｃの上下運動を行っても、その様なオーバー気味の柱部３０Ｃの上下運動は泡立て作業に寄与しないばかりか、無駄な時間を生じさせて泡形成作業の効率を下げるだけである。また、その様オーバー気味の柱部３０Ｃの上下運動は、不要にインスタントコーヒーの液体の液面を掻き混ぜて、当該作業中にインスタントコーヒーの液体がマグカップ１０から外部に飛び跳ねる蓋然性が生じる。そこで、これらの観点から、既述した凸状半棒状部３０ＰＬの所定の高さＨが設定されている。
【００２４】
更に、柱部３０Ｃと一体的に形成された掴み部３０Ｄは、柱部３０Ｃの上方部分３０ＣＵＰの終端部より略Ｌ字状で外側に折れ曲がって延在する。この掴み部３０Ｄの折れ曲がり角度は略９０°であるため、掴み部３０Ｄの底面３０ＤＢＳの一部がマグカップ１０の上縁部１０ＵＥに当接している状態に於いては、掴み部３０Ｄの底面３０ＤＢＳは、マグカップ１０の把手１０Ｈの上面部１０ＨＵの表面１０ＨＵＳに対して、略平行な状態にある。この状態に於いては、人が片方の手の親指以外の指でマグカップ１０の把手１０Ｈを把持するときには、当該手の親指で掴み部３０Ｄの上面３０ＤＵＳＳを安定して確実に押さえることが出来る。従って、泡立て作業完了後のマグカップ１０内に泡立て器３０を入れたままで、換言すれば、マグカップ１０より泡立て器３０を取り出すことなく親指で掴み部３０Ｄの上面３０ＤＵＳＳを掴んだ状態で、人は、マグカップ１０内の香り高いマイルドな口あたりを有する泡コーヒーを味わうことが出来る。マグカップ１０より泡立て器３０を取り出すときには、その際に、液面上の多くの泡が、泡立て器３０に付着したままの状態で、泡立て器３０と共に取り出されてしまうが、この難点が解消される。
【００２５】
以下、インスタントコーヒーの粉から泡コーヒーを生成する泡立て作業について記載する。
【００２６】
＜泡コーヒー生成用具を用いた泡コーヒーの生成方法＞
【００２７】
工程１：
先ず、作業者は、図４の泡立て器３０を図１のマグカップ１０内に嵌め込む。当該嵌め込み乃至は挿入により、泡立て器３０の外枠部３０Ａの底面３０ＢＳは、マグカップ１０の底部の底面１０ＢＳに接触する。しかも、泡立て器３０の掴み部３０Ｄの底面３０ＤＳは、マグカップ１０の上縁部１０ＵＥに当接している。この当接状態は、泡立て作業時に於ける泡立て器３０の上下移動の基準となる「最低位置」と定義される。
【００２８】
その上で、作業者は、小さじ２〜３杯分のインスタントコーヒーの粉を、マグカップ１０内に入れる。
【００２９】
工程２：
次に、作業者は、泡立て器３０の柱部３０Ｃの下部に形成されている目盛３０ＣＭのラインにまでインスタントコーヒーの液面が到達するまで、お湯を注ぐ。この状態に於いては、既述した通り、空気中の気体を液体内に十分に取り入れて多くの泡を形成可能な、インスタントコーヒーの粉の濃度が相対的に高いコーヒーの液体が生成されている（例：液量は５０ｃｃ程度。）。
【００３０】
工程３：
その上で、作業者は、図２及び図３に例示の蓋２０を、マグカップ１０に被せて、その開口部１０ＯＰを全体的に被覆する。その場合、泡立て器３０の柱部３０Ｃの上部３０ＣＵＰと掴み部３０Ｄとの結合部分は、蓋２０の切り込み部２０ＣＰ内に嵌め込まれ、且つ、当該結合部分の表面は切り込み部２０ＣＰの奥面の凸状部２０ＣＣＰに接触している。その状態を模式的に示す斜視図が図５である。又、図５に示される状態に於ける蓋２０と泡立て器３０との位置関係を模式的に透視した図が図６である。この状態では、泡立て器３０の柱部３０Ｃは、既述の「最低位置」にあり、掴み部３０Ｄを掴んだ作業者の加える力によって、当該「最低位置」より上方へ移動可能な基底状態にある。
【００３１】
工程４：
次に、作業者は、泡立て器３０の掴み部３０Ｄを指で掴んで掴み部３０Ｄを持ち上げる。その際、作業者は、好ましい態様として、泡立て器３０の柱部３０Ｃを蓋２０の切り込み部２０ＣＰの上記奥面に沿わせつつ、掴み部３０Ｄを上方向へ移動させる。この掴み部３０Ｄの持ち上げ動作に応じて、泡立て器３０の柱部３０Ｃ（の表面３０ＣＳの中央部の窪み部３０ＣＲ）は、切り込み部２０ＣＰの上記奥面に沿いつつ（上記奥面に接触・摺動しつつ）上方向へ移動し、柱部３０Ｃの少なくとも上部３０ＣＵＰは切り込み部２０ＣＰより出現して上昇する。しかし、その内に、柱部３０Ｃの凸状半棒状部３０ＰＬの上端部は、その上昇移動に伴い、蓋２０の切り込み部２０ＣＰの奥面の凸状部２０ＣＰＰに接触して、その上昇移動が止められる。そのときの柱部３０Ｃと蓋２０との位置関係を模式的に示す図が図７であり、このときの泡立て器３０の外枠部３０Ａ、網部３０Ｂ及び柱部３０Ｃの持ち上げられた位置が、「最高位置」である。従って、泡立て器３０の柱部３０Ｃ等は、既述の「最低位置」より当該「最高位置」まで上昇して強制的に係止されることになる。この上昇移動量（所定移動量）（後述の下降移動量にも該当。）は、既述の通り、泡立て作業時に５０ｃｃ程度の量の濃密なコーヒーの液体に対して短時間でより効率良く泡立てを行うことが出来る様に、試行等を通じて、設定されている。この様に、蓋２０の切り込み部２０ＣＰの凸状部２０ＣＰＰは、泡立て器３０の柱部３０Ｃの不必要なまでの上昇移動を防いで柱部３０Ｃの上昇移動量を適切に規律する機能を呈する。その後、作業者は、引き続いて、逆に泡立て器３０の掴み部３０Ｄを引き下げる動作を行う。そうすると、泡立て器３０の柱部３０Ｃは、上記の「最低位置」に向けて下降移動し、最終的に、泡立て器３０の外枠部３０Ａの底面３０ＢＳはマグカップ１０の底部の底面１０ＢＳに接触して、柱部３０Ｃの下降は強制的に停止される。その結果、作業者の泡立て器３０の掴み部３０Ｄの上記所定移動量だけの持ち上げ及び引き下しの動作によって、泡立て器３０の柱部３０Ｃの上記所定移動量だけの上昇移動及び下降移動が一回分行われることになる。この掴み部３０Ｄの上記所定移動量だけの持ち上げ及び引き下しの一組の動作を、作業者は、所定の回数だけ、連続的に行うことにより、インスタントコーヒーの液体内に空気が効率良く取り込まれて拡散されて当該液体内で泡となり、その後、泡は液面へと上昇し、液面上に全体的に亘って広がった、いっぱいの泡ＢＵ（図８参照。）が、形成される。ここで、上記の上下往復運動の「所定の回数」は、３０回程度である。
【００３２】
工程５：
最後に、作業者は、蓋２０を外して、残りのお湯をマグカップ１０内に注いで、泡コーヒーが形成される。その際の出来上がり状態を模式的に示す図が図８である。尚、図８に於いては、図示の便宜上、泡ＢＵはハッチング表示されている。
【００３３】
図８に例示される様に、泡ＢＵは、マグカップ１０の開口部１０ＯＰの縁部１０ＵＥの直近の位置にまで盛り上がって、開口部１０ＯＰ内に、いっぱいに広がっている。従って、作業者は、当該泡立て作業の全工程を経ることで、インスタントコーヒーの粉で以って液面いっぱいに盛り上がった泡が形成された泡コーヒーを手軽且つ容易に作成することが出来、カフェ気分で、マイルドな口当たりのコーヒーを堪能することが出来る。しかも、既述の通り、マグカップ１０の把手１０Ｈの位置はマグカップ１０の底から高い位置にあり、且つ、泡立て器３０の掴み部３０Ｄとマグカップ１０の把手１０Ｈとは平行状態で近接配設されているので、泡立て器３０をマグカップ１０から取り出すことなく、マグカップ１０に入れたままで、作業者は、作った全部の泡を残さずに飲むことが出来る。加えて、既述の通り、当該泡立て作業に於いて、蓋２０がマグカップ１０の開口部１０ＯＰを被覆しているので、当該作業中にコーヒーの液体がマグカップ１０から飛び跳ねることも防止される。しかも、蓋２０は、保温・保冷効果も奏し得る。
【００３４】
尚、本工程では、ホットコーヒーの泡コーヒーを作るために、お湯が用いられたが、その代わりとして、氷水を適用する場合には、アイスコーヒーの泡コーヒーを作ることが同様に可能である。
【００３５】
（変形例）
１）実施の形態１に於いては、インスタントコーヒーの液体より泡コーヒーを生成する例が記載されたが、インスタントコーヒーに代えて、コーヒー豆より生成したコーヒーの液体より本泡コーヒー生成用具を用いて泡コーヒーを生成することも同様に可能である。
【００３６】
２）また、マグカップの把手の取付け位置は、任意であり、マグカップの把手位置が泡立て器の掴み部に近似していても良い。何れの位置に於いても、既述の作用・効果は得られる。
【００３７】
３）また、実施の形態１に記載された泡コーヒー生成用具の構成要素（部品）をコーヒー以外の飲用液体に対して泡を液面に形成する際にも同様に適用可能であり、その泡立ての原理及び工程も同様である。例えば、牛乳、豆乳、ラテ、ソイラテ、キャラメルラテ、抹茶ミルク、又は、ミルクココア等の様々なレシピに対して泡立てを行う際に、実施の形態１に係る泡コーヒー生成用具を適用可能である。その意味で、本考案に係る泡立て用具は、「泡生成用具」と称される。
【００３８】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【００３９】
尚、「掴み部の上下方向の移動に応じて、泡立て器の柱部は、蓋の切り込み部の壁面の内で側面間に位置する奥面に沿いつつ上下に移動される」という概念は、１）柱部が蓋の切り込み部の奥面に当接した状態で上下に移動される場合と、２）柱部が蓋の切り込み部の奥面に非接触で当該奥面に面した状態で上下に移動される場合とを、含む概念である。
【産業上の利用可能性】
【００４０】
本考案は、例えば、インスタントコーヒーの液体表面に、カプチーノの様な豊かな泡を加えるための泡コーヒー生成用具に適用して好適である。勿論、その他の泡入りレシピについても、本考案はそれに適用して好適である。
【符号の説明】
【００４１】
１０    マグカップ
１０Ｈ  マグカップの把手
２０    蓋
３０    泡立て器
ＢＵ    泡
【図１】
0003193140.tif 000003
【図２】
0003193140.tif 000004
【図３】
0003193140.tif 000005
【図４】
0003193140.tif 000006
【図５】
0003193140.tif 000007
【図６】
0003193140.tif 000008
【図７】
0003193140.tif 000009
【図８】
0003193140.tif 000010